(57)【要約】【課題】同一支柱に複数の同軸形アンテナを高さ位置を揃えて取り付けることができ、取り付け時の作業性にも優れるアンテナ取り付け金具を提供する。【解決手段】支柱Ｐの外周に面接触する周方向に分割された固定金具２-1〜２-3と、隣り合う分割固定金具２-1〜２-3を互いに連結するボルト・ナット３を組合わせ、各分割固定金具にそれぞれ方位角を異ならせたボルト支持部２ｅを設け、各分割固定金具をボルト・ナット３による締付け力で支柱Ｐの外周に固定し、各分割固定金具のボルト支持部に同軸形アンテナＡに取り付けられた連結ボルトＢを水平向きに、突出長さ可変に取り付けるようにした。【選択図】  図１
2004200999.tif 000002
【特許請求の範囲】
【請求項１】
支柱の外周に面接触する周方向に複数に分割された固定金具と、隣り合う分割固定金具を互いに連結する締結具とから成り、各分割固定金具にそれぞれ方位角を異ならせたボルト支持部が設けられ、各分割固定金具を前記締結具による締付け力で垂直な支柱の外周に固定し、各分割固定金具のボルト支持部に同軸形アンテナに取り付けられた連結ボルトを水平向きに、突出長さ可変に取り付け、複数のアンテナを支柱に高さ位置を揃えて取り付けられるようにしたアンテナ取り付け金具。
【請求項２】
前記固定金具を周方向の等分点で３分割した請求項１記載のアンテナ取り付け金具。
【請求項３】
各分割固定金具に、垂直支軸を支点にして回転する計３個のセクタ変更金具と、各セクタ変更金具の回転量を一定範囲に規制する回転量規制手段と、各セクタ変更金具を回転の各位置に固定するロック手段とからなるアンテナの方位調整機構を設け、前記ボルト支持部を３個のセクタ変更金具にそれぞれ設けた請求項１または２記載のアンテナ取り付け金具。
【請求項４】
前記セクタ変更金具に方位角調整用目盛を、セクタ変更金具を回転角可変に支える分割固定金具の基部に方位角調整用目盛に対応させた基準目盛を各々具備させた請求項３記載のアンテナ取り付け金具。
【請求項５】
ボルトで締結して支柱の外周に固定する半割り形状の滑り止めリングを含ませ、この滑り止めリングで支柱の外周に取り付けた分割固定金具を下から受け支えるようにした請求項１乃至４のいずれかに記載のアンテナ取り付け金具。
【発明の詳細な説明】
【０００１】
【発明の属する技術分野】
この発明は、携帯電話などの基地局等に設けられる同軸形アンテナ用の取り付け金具に関する。
【０００２】
【従来の技術】
同軸形アンテナを垂直な支柱に取り付けるために用いられている従来の標準型金物を図８に示す。この金物は、パイプ支柱Ｐの外周に支持プレート２０を２本のＵボルト２１で固定し、同軸形アンテナＡにヒンジ結合して取り付けられている連結ボルトＢを支持プレート２０に設けたボルト穴に通してロックナットと緩み止めナットで支持プレート２０に固定する。なお、支柱Ｐに対するアンテナの取り付けは、上下の２ヵ所でなされる。
【０００３】
【発明が解決しようとする課題】
従来のアンテナ取り付け金具は、Ｕボルトによる固定を行うため固定力が十分でなく、支柱に滑り止めがないと竣工後にアンテナが位置ずれしてアンテナの方位角がずれ易い。また、ひとつのアンテナを取り付けるのに４本のＵボルトを固定する必要があり、なおかつ、各アンテナを支柱に取り付けるためアンテナ個々の方位角調整も必要になり、取り付け作業が煩雑になる。
【０００４】
さらに、複数のアンテナを同一支柱に取り付ける場合、各アンテナの取り付け金具の位置を高さ方向にずらす必要があるため、アンテナの高さにずれが生じ、体裁が悪くなるだけでなくアンテナの性能安定化面でも好ましくなかった。
【０００５】
この発明は、これ等の不具合を解消することを課題としている。
【０００６】
【課題を解決するための手段】
上記の課題を解決するため、この発明においては、支柱の外周に面接触する周方向に複数に分割された固定金具と、隣り合う分割固定金具を互いに連結する締結具とから成り、各分割固定金具にそれぞれ方位角を異ならせたボルト支持部が設けられ、各分割固定金具を前記締結具による締付け力で垂直な支柱の外周に固定し、各分割固定金具のボルト支持部に同軸形アンテナに取り付けられた連結ボルトを水平向きに、突出長さ可変に取り付け、複数のアンテナを支柱に高さ位置を揃えて取り付けられるようにしたアンテナ取り付け金具を提供する。固定金具は周方向の等分点で３分割したものが好ましい。
【０００７】
また、各分割固定金具に、垂直支軸を支点にして回転する計３個のセクタ変更金具と、各セクタ変更金具の回転量を一定範囲に規制する回転量規制手段と、各セクタ変更金具を回転の各位置に固定するロック手段とからなるアンテナの方位調整機構を設け、前記ボルト支持部を３個のセクタ変更金具にそれぞれ設けたアンテナ取り付け金具も提供する。
【０００８】
後者のアンテナ取り付け金具は、セクタ変更金具に方位角調整用目盛を、セクタ変更金具を回転角可変に支える分割固定金具の基部に方位角調整用目盛に対応させた基準目盛を各々具備させるとより好ましいものになる。
【０００９】
なお、この発明のアンテナ取り付け金具は、ボルトで締結して支柱の外周に固定する半割り形状の滑り止めリングを含ませ、この滑り止めリングで支柱の外周に取り付けた分割固定金具を下から受け支えるものにするとアンテナの位置変動防止効果が高まる。
【００１０】
【作用】
この発明のアンテナ取り付け金具は、分割固定金具の各々にボルト支持部を設けており、それぞれのボルト支持部にアンテナを取り付けることができる。各ボルト支持部は方位角を異ならせているためアンテナ側の連結ボルトの高さ位置を揃えても連結ボルト同士の干渉は起こらず、これにより、同一支柱に取り付ける複数のアンテナの高さ位置を揃えることが可能になる。
【００１１】
また、Ｕボルトによる固定では支柱との接触が線接触に近いものになるが、この発明では支柱を取り巻く分割固定金具の各々を支柱に面接触させるので、固定金具の位置ずれが起こり難く、竣工後のアンテナの位置保持の信頼性も高まる。
【００１２】
さらに、同一支柱に取り付ける複数のアンテナの方位が固定されている場合には、各ボルト支持部の方位角を予め調整しておいて支柱に対する取り付け金具の取り付け方位調整を１回行うだけで全アンテナの方位設定が完了し、作業性が向上する。
【００１３】
なお、アンテナの方位調整機構を設けたものは、セクタ変更金具を回転させてアンテナの方位角を施工後に個々に変化させることができ、変異な方位角にも対応できる。
【００１４】
角度目盛と基準目盛を対応させて設けたものは、セクタ変更金具の回転角が表示されるので、作業性がより良くなる。
【００１５】
また、２分割された滑り止め金具を含むものは、アンテナのずり落ち防止の効果がより高まる。
【００１６】
【発明の実施の形態】
以下、この発明のアンテナ取り付け金具の実施形態を添付の図１〜図７に基づいて説明する。
【００１７】
図１乃至図４は第１実施形態である。この取り付け金具１は、周方向の等分位置で分割された３個の分割固定金具２-1〜２-3と、隣り合う分割固定金具を互いに連結して３個の分割固定金具２-1〜２-3をひとつに束ねる３組のボルト・ナット３とで構成されている。
【００１８】
各分割固定金具２-1〜２-3は、図２、図３に示すように、ベースプレート２ａと、このベースプレート２ａに一体化された平面視略１／３円弧状の取り付け部２ｂと、ベースプレート２ａ上に立設されたリブ２ｃにボルト穴２ｄを設けて構成されるボルト支持部２ｅと、ボルト・ナット３で締めつける継手部２ｆとで構成されている。継手部２ｆは各２個のボルト穴２ｇを設けているが、ボルト穴の数は２個に限定されない。
【００１９】
ボルト支持部２ｅは、リブ２ｃの基端側をパイプ支柱Ｐの中心を通る放射線状に配置し、その基端側に対してリブ２ｃの外端側をそれぞれα、β、γのセクタ角度を持つように屈曲させ、この屈曲した外端側に前述のボルト穴２ｄを設けて構成されている。
【００２０】
この取り付け金具１は、２個をペアにしてその２個の取り付け金具１を図４に示すようにパイプ支柱Ｐに高さ位置を変えて取り付け、アンテナＡの上下２ヵ所をこの取り付け金具１で支える。このとき、アンテナＡに取り付けられている２本の連結ボルトＢ間の距離と上下の取り付け金具１間の距離にずれが出ることが考えられるので、そのずれを吸収するために、下側の取り付け金具１に設けるボルト穴２ｄは図３に鎖線で示すような縦長の長穴にしている。
【００２１】
セクタ角度α、β、γはアンテナの方位設定角によって定められ、それぞれの角度が多少異なる場合もある。
【００２２】
また、固定金具の分割数を３にすると、各分割固定金具の仕様をほぼ統一できて好ましいが、その分割数を２として、一方の分割固定金具にボルト支持部を２ヵ所設けることも考えられる。
【００２３】
例示のアンテナ取り付け金具１は、各分割固定金具２-1〜２-3の取り付け部２ｂを支柱Ｐの外周にあてがい、隣り合う分割固定金具をボルト・ナット３で締結し、３個の分割固定金具２-1〜２-3を支柱Ｐの外周にボルト・ナット３による締付け力で圧接させて固定する。
【００２４】
２組の取り付け金具１を方位調整を行って所定高さ位置に取り付けたら、アンテナＡにヒンジ結合されている２本の連結ボルトＢを各分割固定金具２-1〜２-3のボルト支持部２ｅに設けられているボルト穴２ｄに通し、ロックナットＮ1 と緩み止めナットＮ2 を締めつけてアンテナＡを取り付け金具１に取り付ける。
【００２５】
アンテナＡは、３６０°全方位に対応する必要がある場合には各分割固定金具２-1〜２-3にそれぞれ取り付け、全方位対応が不要な場合には、その数を減らして分割固定金具のどれかを空きの状態にしておくことがある。
【００２６】
図５及び図６は、アンテナの方位調整機構を含ませた第２実施形態である。このアンテナ取り付け金具１も、周方向に３分割した固定金具、即ち、仕様を統一した３個の分割固定金具２-1〜２-3を備えている。各分割固定金具２-1〜２-3は、ベースプレート２ａを上下２枚にして上下のベースプレート間に図１のリブ２ｃに代わる補強パイプ２ｈを介在している。上下のベースプレート２ａは、平面視が１／３円弧の取り付け部２ｂ、２個の継手部２ｆ及び補強パイプ２ｈを介して一体化されている。
【００２７】
４はアンテナの方位調整機構である。この方位調整機構４は、セクタ変更金具５と、このセクタ変更金具５の回転支点となす垂直支軸６と、セクタ変更金具５の回転量を一定範囲に規制する回転量規制手段７と、セクタ変更金具５を回転の各位置に固定するロック手段とから成る。
【００２８】
セクタ変更金具５は、上下２枚のプレート５ａ間に一体の垂直なリブプレート５ｂを有し、このリブプレート５ｂにボルト穴２ｄを開けて構成されるボルト支持部２ｅを備えている。なお、２個をペアにして用いる取り付け金具１のうち、下側に配置される取り付け金具のボルト穴２ｄは、既述の理由と同様の理由で縦長の長穴とされる。
【００２９】
垂直支軸６はボルト・ナットを用いており、補強パイプ２ｈに貫通させたこの垂直支軸６を前述のロック手段としても働かせるようにしている。
【００３０】
回転量規制手段７は、セクタ変更金具５に設ける垂直支軸６と同芯円弧の長穴７ａと、ベースプレート２ａに固定して長穴７ａに挿入するストッパピン７ｂとからなるものを設けたがこれに限定されない。
【００３１】
なお、例示のアンテナ取り付け金具１には、好ましい要素として、セクタ変更金具５に角度目盛８ａを、上側のベースプレート２ａに角度目盛と照合する基準目盛８ｂを各々設けている。
【００３２】
このように構成した第２実施形態のアンテナ取り付け金具１は、隣り合う分割固定金具の継手部２ｆをボルト・ナットで締結して各分割固定金具２-1〜２-3を束ね、支柱の外周に固定する。そして、ペアにする上下のアンテナ取り付け金具１を固定し終えたら、セクタ変更金具５の各々に設けられているボルト支持部２ｅにアンテナ側の連結ボルトをロックナットと緩み止めナットを用いて取り付ける。
【００３３】
この後、必要があればセクタ変更金具５を所要角度回転させてアンテナの方位角を調整し、調整後の位置をロックして保持する。
【００３４】
アンテナは、方位角を１２０°ずつずらして支柱の外周に３基取り付けると３６０°の全方位を網羅できるが、地域によっては、最適方位角が１２０°の等分点からずれて変異なものになることがある。第２実施形態のアンテナ取り付け金具は、この変異な方位角に対応でき、使用規制を受けることがなくなる。
【００３５】
図７は、周方向に２分割した滑り止めリングを示している。この滑り止めリング９を支柱の外周にボルト・ナットで締めつけて取り付け、これでアンテナ取り付け金具を下から受け支えると、アンテナのずり落ち防止の効果が高まり、アンテナを設定位置に安定して保持できる。
【００３６】
【発明の効果】
以上述べたように、この発明のアンテナ取り付け金具は、分割固定金具を締めつけて支柱の外周に固定し、各分割固定金具に方位を異ならせて設けたボルト支持部にアンテナ側の連結ボルトを水平向きに取り付けるので、複数のアンテナを同一支柱に取り付ける場合にもアンテナの高さ位置を揃えることができる。
【００３７】
また、この発明では支柱を取り巻く分割固定金具の各々を支柱に面接触させるので、固定金具の位置ずれが起こり難く、竣工後のアンテナの位置保持の信頼性も高まる。
【００３８】
さらに、３基のアンテナの方位が固定されている場合には、支柱に対する取り付け金具の取り付け方位調整を１回行うだけで３基のアンテナの方位設定を完了することができ、作業性が向上する。
【００３９】
なお、アンテナの方位調整機構を設けたものは、セクタ変更金具を回転させてアンテナの方位角を施工後に個々に変化させることができ、変異な方位角にも対応できる。また、分割固定金具の仕様を完全に統一することもでき、量産性の向上によるコスト低減も望める。
【００４０】
このほか、方位調整用の角度目盛と基準目盛を対応させて設けたものは、セクタ変更金具の回転角が表示されるので、作業性がより良くなる。
【００４１】
また、２分割された滑り止めリングを含むものは、アンテナのずり落ち防止の効果がより高まる。
【図面の簡単な説明】
【図１】第１実施形態のアンテナ取り付け金具の部分破断平面図
【図２】図１の取り付け金具を構成する分割固定金具の斜視図
【図３】同上の分割固定金具の側面図
【図４】図１の取り付け金具によるアンテナの取り付け状態を示す斜視図
【図５】第２実施形態のアンテナ取り付け金具の平面図
【図６】図５の取り付け金具を構成する分割固定金具の分解斜視図
【図７】滑り止めリングの斜視図
【図８】従来のアンテナ取り付け用標準金物を示す図
【符号の説明】
１          アンテナ取り付け金具
２-1〜２-3  分割固定金具
２ａ        ベースプレート
２ｂ        取り付け部
２ｃ        リブ
２ｄ、２ｇ  ボルト穴
２ｅ        ボルト支持部
２ｆ        継手部
２ｈ        補強パイプ
３          ボルト・ナット
４          アンテナの方位調整機構
５          セクタ変更金具
６          垂直支軸
７          回転量規制手段
８ａ        角度目盛
８ｂ        基準目盛
９          滑り止めリング
α、β、γ  セクタ角度
Ａ          アンテナ
Ｂ          連結ボルト
Ｐ          支柱
Ｎ1         ロックナット
Ｎ2         緩み止めナット
【図１】
2004200999.tif 000003
【図２】
2004200999.tif 000004
【図３】
2004200999.tif 000005
【図４】
2004200999.tif 000006
【図５】
2004200999.tif 000007
【図６】
2004200999.tif 000008
【図７】
2004200999.tif 000009
【図８】
2004200999.tif 000010